(57)【要約】【課題】圧縮機の運転周波数を変更することにより、蒸発器に霜が生じにくい運転を行う除湿機を提供することを目的とする。【解決手段】本体と、本体に内包された、冷媒を循環させて冷凍サイクルを構成する運転周波数を変更可能なインバーター圧縮機、凝縮器、減圧装置、及び蒸発器と、室内の空気を吸引、排出する送風ファンと、室内温度を測定する温度センサーと、室内湿度を測定する湿度センサーと、室内温度と室内湿度によりインバーター圧縮機の運転周波数を制御する制御手段と、を備え、温度センサーが測定した室内温度が、温度Ｔ１からＴ２の範囲にあるときに、湿度センサーが測定した室内湿度に応じてインバーター圧縮機の運転周波数を変更するものである。【選択図】図４
2020085390.tif 000002
【特許請求の範囲】
【請求項１】
本体と、
前記本体に内包された、冷媒を循環させて冷凍サイクルを構成する運転周波数を変更可能なインバーター圧縮機、凝縮器、減圧装置、及び蒸発器と、
室内の空気を吸引、排出する送風ファンと、
室内温度を測定する温度センサーと、
室内湿度を測定する湿度センサーと、
前記室内温度と前記室内湿度により前記インバーター圧縮機の運転周波数を制御する制御手段と、を備え、
前記温度センサーが測定した前記室内温度が、温度Ｔ１からＴ２の範囲にあるときに、前記湿度センサーが測定した前記室内湿度に応じて前記インバーター圧縮機の運転周波数を変更することを特徴とする除湿機。
【請求項２】
本体と、
前記本体に内包された、冷媒を循環させて冷凍サイクルを構成する圧縮機、凝縮器、減圧装置、及び蒸発器と、
前記蒸発器の温度を測定する管温サーミスタと、
室内温度を測定する温度センサーと、
室内の空気を吸引、排出する送風ファンと、
前記冷凍サイクルの前記冷媒の流路に設けられた分岐流路と、前記分岐流路を開閉する電磁弁と、
前記送風ファン、前記電磁弁を制御する制御手段、を備え、
前記管温サーミスタが測定した前記蒸発器の温度が、あらかじめ設定された温度より低い温度になったときに、前記制御手段は前記蒸発器に着霜したと判断し、
前記制御手段は、前記室温センサーで検知した前記室内温度により、
前記電磁弁を開いて前記冷媒を前記分岐流路に流し前記蒸発器の温度を上げて霜を取るか、前記圧縮機を停止させて前記送風ファンを運転し前記蒸発器に空気を通過させて霜を取るか、を選択して実行することを特徴とする除湿機。
【請求項３】
本体と、
前記本体に内包された、冷媒を循環させて冷凍サイクルを構成する運転周波数を変更可能なインバーター圧縮機、凝縮器、減圧装置、及び蒸発器と、
室内の空気を吸引、排出する送風ファンと、
室内温度を測定する温度センサーと、
室内湿度を測定する湿度センサーと、
前記蒸発器の温度を測定する管温サーミスタと、
前記冷凍サイクルの前記冷媒の流路に設けられた分岐流路と、前記分岐流路を開閉する電磁弁と、
前記室内温度と前記室内湿度により前記インバーター圧縮機の運転周波数を制御するとともに、前記送風ファン、前記電磁弁を制御する制御手段と、を備え、
前記温度センサーが測定した前記室内温度が、温度Ｔ１からＴ２の範囲にあるときに、前記湿度センサーが測定した前記室内湿度に応じて前記インバーター圧縮機の運転周波数を変更し、
前記管温サーミスタが測定した前記蒸発器の温度が、あらかじめ設定された温度より低い温度になったときに、前記制御手段は前記蒸発器に着霜したと判断し、
前記制御手段は、前記室温センサーで検知した前記室内温度により、
前記電磁弁を開いて前記冷媒を前記分岐流路に流し前記蒸発器の温度を上げて霜を取るか、前記圧縮機を停止させて前記送風ファンを運転し前記蒸発器に空気を通過させて霜を取るか、を選択して実行することを特徴とする除湿機。
【請求項４】
前記温度センサーが測定した前記室内温度が、温度Ｔ１からＴ２の範囲にあるときに、前記湿度センサーが測定した前記室内湿度に応じて変更される前記インバーター圧縮機の運転周波数は、前記インバーター圧縮機の定格運転周波数よりも低い周波数であることを特徴とする請求項１あるいは請求項３に記載の除湿機。
【請求項５】
前記温度センサーが測定した前記室内温度が、温度Ｔ１からＴ２の範囲にあるときに、前記湿度センサーが測定した前記室内湿度に応じて、前記制御手段は前記インバーター圧縮機の運転周波数を変更する専用運転モードを実行することを特徴とする請求項１あるいは３あるいは請求項４に記載の除湿機。
【請求項６】
除湿運転の設定を入力する入力手段を備え、
前記制御手段は、前記入力手段で選択することにより前記専用運転モードを実行することを特徴とする請求項５に記載の除湿機。
【請求項７】
前記制御手段が前記蒸発器に着霜したと判断したときに、
前記室内温度が設定した温度より低い場合は、前記電磁弁を開いて前記冷媒を前記分岐流路に流し前記蒸発器の温度を上げて霜を取り、
前記室内温度が設定した温度より高い場合は、前記圧縮機を停止させて前記送風ファンを運転し前記蒸発器に空気を通過させて霜を取るようにすることを特徴とする請求項２あるいは請求項３に記載の除湿機。
【請求項８】
前記凝縮器を複数設けたことを特徴とする請求項１から請求項７に記載の除湿機。
【請求項９】
複数設けられた前記凝縮器は、第１凝縮器と第２凝縮器であり、前記第１凝縮器は前記送風ファンの近くに設けられていて、前記第２凝縮器より大きいことを特徴とする請求項１から請求項８に記載の除湿機。
【請求項１０】
第１凝縮器と第２凝縮器の間の空間は、前記蒸発器と前記第２凝縮器の間の空間より広いことを特徴とする請求項１から請求項９に記載の除湿機。
【発明の詳細な説明】
【技術分野】
【０００１】
本発明は室内の除湿を行う除湿機に関するものである。
【背景技術】
【０００２】
従来から除湿機では、室内温度が低下して蒸発温度が水の凍結温度まで低下すると、蒸発器に霜が生じることにより、霜取り運転を行う除湿機が知られている。（例えば、特許文献１参照）。
【先行技術文献】
【特許文献】
【０００３】
【特許文献１】特開２００６−２８９２５７（第４頁、図５）
【発明の概要】
【発明が解決しようとする課題】
【０００４】
従来の除湿機では、蒸発器に霜が生じると霜を取るための運転を行うとき、除湿運転を停止する必要があり、霜取り運転が開始されると除湿運転に復帰するまでに時間を要し、使用者が思うように除湿が行えないという課題があった。
【０００５】
本発明は、かかる課題を解決するために、圧縮機の運転周波数を変更することにより、蒸発器に霜が生じにくい運転を行う除湿機を提供することを目的とする。
【課題を解決するための手段】
【０００６】
課題を解決する本発明に係る除湿機は、本体と、本体に内包された、冷媒を循環させて冷凍サイクルを構成する運転周波数を変更可能なインバーター圧縮機、凝縮器、減圧装置、及び蒸発器と、室内の空気を吸引、排出する送風ファンと、室内温度を測定する温度センサーと、室内湿度を測定する湿度センサーと、室内温度と室内湿度によりインバーター圧縮機の運転周波数を制御する制御手段と、を備え、温度センサーが測定した室内温度が、温度Ｔ１からＴ２の範囲にあるときに、湿度センサーが測定した室内湿度に応じてインバーター圧縮機の運転周波数を変更するものである。
【発明の効果】
【０００７】
本発明の除湿機によれば、インバーター圧縮機の運転周波数を変更することにより蒸発器の温度も変更することが可能となるので、インバーター圧縮機の運転周波数を、蒸発器の温度が水の凍結温度である０℃より高くなるように変更することで、蒸発器に霜が生じることを抑制することができる。
よって、除湿運転が霜取り運転により中断されることがないので、使用者の快適性を損なうこと無く除湿運転を継続することができる。
【図面の簡単な説明】
【０００８】
【図１】本発明の実施の形態１に係る除湿機の内部を示す断面図である。
【図２】本発明の実施の形態１に係る除湿機の除湿手段である冷凍サイクルの概略構成を示す模式図である。
【図３】本発明の実施の形態１に係る除湿機のモリエル線図の概略図である。
【図４】本発明の実施の形態１に係る除湿機の圧縮機の運転周波数を制御する制御手段の概略ブロック線図である。
【図５】本発明の実施の形態１に係る除湿機の圧縮機の冬モードの概略フローチャートである。
【図６】本発明の実施の形態１に係る除湿機の圧縮機のあらかじめ設定された運転周波数テーブルである。
【図７】本発明の実施の形態２に係る除湿機の霜取り運転を制御する制御手段の概略ブロック線図である。
【図８】本発明の実施の形態２に係る除湿機の霜取り運転の概略フローチャートである。
【０００９】
以下、添付の図面を参照して、実施の形態について説明する。各図における同一の符号は、同一の部分または相当する部分を示す。また、本開示では、重複する説明については適宜に簡略化または省略する。なお、本開示は、以下の各実施の形態で説明する構成のうち、組み合わせ可能な構成のあらゆる組み合わせを含み得るものである。
【００１０】
実施の形態１
図１は、本発明の実施の形態１に掛かる除湿機１００の断面図である。図１は、実施の形態１の除湿機１００の内部の構成を示している。
【００１１】
図１に示すように、除湿機１００は、本体１０を備える。本体１０は、自立可能に形成されている。本体１０には、吸込口１１及び吹出口１２が形成されている。吸込口１１は、本体１０の外部から内部へ室内空気を取り込むための開口である。吹出口１２は、本体１０の内部から外部へ室内空気を除湿した空気を送り出すための開口である。
【００１２】
本発明の本実施の形態１において、吸込口１１は、本体１０の背面に形成されている。吹出口１２は、本体１０の上面に形成されている。なお、吸込口１１及び吹出口１２は、任意の場所に設けられてよい。例えば、吸込口１１は、本体１０の側面に形成されてもよい。吸込口１１が本体１０の背面でない部分に形成された除湿機１００は、当該本体１０の背面が壁に接触または近接した状態で使用可能となる。
【００１３】
除湿機１００は、送風手段の一例として、送風ファン２１を備える。送風ファン２１は、筐体１０の内部に収容される。筐体１０の内部には、吸込口１１から吹出口１２へと通じる風路が形成されている。送風ファン２１は、この風路に配置されている。送風ファン２１は、筐体１０の内部に室内空気を取り込み、取り込んだ空気を除湿して本体１０の外部へ送る装置である。
【００１４】
また、除湿機１００は、蒸発器３１、圧縮機３２、第１凝縮器３３ａ及び第２凝縮器３３ｂを備える。蒸発器３１、圧縮機３２、第１凝縮器３３ａ及び第２凝縮器３３ｂは、図１に示すように、筐体１０の内部に収容される。
【００１５】
なお、本発明の実施の形態１の圧縮機３２は後述するがインバーター圧縮機である。インバーター圧縮機を使用することで、圧縮機の運転周波数の可変が可能となる
【００１６】
除湿機１は、除湿手段を備える。除湿手段とは、室内空気中の水分を除去するためのものである。除湿手段は、冷媒を循環させる冷凍サイクルによって構成される。
【００１７】
図２は、本発明の実施の形態１の冷凍サイクルの概略構成を示す模式図である。本発明の実施の形態１の冷凍サイクルは、図２に示すように、蒸発器３１、圧縮機３２、第１凝縮器３３ａ、第２凝縮器３３ｂおよび減圧装置３４によって形成される。
【００１８】
蒸発器３１、圧縮機３２、第１凝縮器３３ａ、第２凝縮器３３ｂおよび減圧装置３４には、冷媒が流れる。蒸発器３１、圧縮機３２、第１凝縮器３３ａ、第２凝縮器３３ｂ、及び減圧装置３４は、冷媒が流れる配管を介し、環状に接続される。
【００１９】
蒸発器３１、第１凝縮器３３ａおよび第２凝縮器３３ｂは、冷媒と空気との間での熱交換を行うための熱交換器である。圧縮機３２は、冷媒を圧縮させる装置である。減圧装置３４は、冷媒を減圧させる装置である。減圧装置３４は、本発明の実施の形態１においては、キャピラリーチューブである。
【００２０】
蒸発器３１、圧縮機３２、第１凝縮器３３ａ、第２凝縮器３３ｂおよび減圧装置３４は、それぞれ、熱媒体の入口及び出口を有している。蒸発器３１の出口は、圧縮機３２の入口に接続される。圧縮機３２には、蒸発器３１を通過した冷媒が流入する。圧縮機３２は、当該圧縮機３２に流入した熱媒体を圧縮する。圧縮機３２によって圧縮された熱媒体は、当該圧縮機３２の出口から流出する。
【００２１】
圧縮機３２の出口は、第２凝縮器３３ｂの入口に接続される。第２凝縮器３３ｂの出口は、第１凝縮器３３ａの入口に接続される。第１凝縮器３３ａおよび第２凝縮器３３ｂには、圧縮機３２によって圧縮された冷媒が流れる。
【００２２】
第１凝縮器３３ａの出口は、減圧装置３４の入口に接続される。減圧装置３４には、第１凝縮器３３ａおよび第２凝縮器３３ｂを通過した冷媒が流入する。減圧装置３４は、当該減圧装置３４に流入した冷媒を減圧させる。減圧装置３４によって減圧した冷媒は、膨張する。
【００２３】
減圧装置３４の出口は、蒸発器３１の入口に接続される。蒸発器３１には、減圧装置３４によって減圧した冷媒が流入する。本発明の実施の形態１において冷媒は、蒸発器３１、圧縮機３２、第２凝縮器３３ｂ、第１凝縮器３３ａ及び減圧装置３４を順に通過する。減圧装置３４を通過した冷媒は、再び蒸発器３１を流れる。本実施の形態において冷媒は、このように冷凍サイクルを循環する。なお、冷凍サイクルにおける第１凝縮器３３ａ、及び第２凝縮器３３ｂの接続順序は、逆でもよい。
【００２４】
冷凍サイクルを形成する蒸発器３１、第１凝縮器３３ａ及び第２凝縮器３３ｂは、図１に示すように、空気が吸込口１１から吹出口１２へと通じる本体１０内に形成された風路に配置される。本体１０内に形成された風路を図１に示すように本体内風路通過空気Ｂ１が通過する。本発明の実施の形態１において、蒸発器３１、第１凝縮器３３ａおよび第２凝縮器３３ｂは、送風ファン２１と吸込口１１との間に配置される。
【００２５】
第２凝縮器３３ｂは、吸込口１１から吹出口１２へと通じる本体１０内に形成された風路において、送風ファン２１の上流側に配置される。また、第１凝縮器３３ａは、吸込口１１から吹出口１２へと通じる本体１０内に形成された風路において、第２凝縮器３３ｂの上流側に配置される。本発明の実施の形態１において第１凝縮器３３ａと第２凝縮器３３ｂとは、隣り合った状態で並べられている。
【００２６】
第１凝縮器３３ａと第２凝縮器３３ｂとの間には、予め設定された寸法の隙間がある。この隙間を、本開示では、混合空間４１と称する。すなわち、本体１０の内部には、第１凝縮器３３ａと第２凝縮器３３ｂとの間に、混合空間４１が形成されている。混合空間４１は、吸込口１１から吹出口１２へと通じる本体１０内に形成された風路において、第２凝縮器３３ｂの上流に形成される。
【００２７】
吸込口１１から吹出口１２へと通じる風路には、第１風路および第２風路が含まれる。換言すると、本体１０の内部には、この第１風路および第２風路が形成される。第１風路は、送風ファン２１によって本体１０の内部に取り込まれた空気の一部が蒸発器３１および第１凝縮器３３ａを順に通って混合空間４１へ送られるように形成された風路である。
【００２８】
第２風路は、送風ファン２１によって本体１０の内部に取り込まれた空気の一部が蒸発器３１及び第１凝縮器３３ａを介さずに混合空間４１へ送られるように形成された風路である。
【００２９】
本発明の実施の形態１の本体１０の内部には、第１風路の一例である除湿風路４２が形成される。また、本発明の実施の形態１の本体１０の内部には、第２風路の一例であるバイパス風路４３が形成される。図１に示すように、除湿風路４２及びバイパス風路４３は、それぞれ、吸込口１１から混合空間４１へと通じる風路である。
【００３０】
除湿風路４２は、送風ファン２１によって本体１０の内部に取り込まれた空気の一部が蒸発器３１と第１凝縮器３３ａと第２凝縮器３３ｂとを順に通過するように形成される。蒸発器３１および第１凝縮器３３ａは、この除湿風路４２に配置されている。除湿風路４２は、吸込口１１から、蒸発器３１および第１凝縮器３３ａを介して、混合空間４１へと至る。
【００３１】
バイパス風路４３は、送風ファン２１によって本体１０の内部に取り込まれた空気の一部が蒸発器３１及び第１凝縮器３３ａを介さずに第２凝縮器３３ｂを通過するように形成される。バイパス風路４３は、蒸発器３１及び第１凝縮器３３ａを迂回するよう形成される。バイパス風路４３は、吸込口１１から、蒸発器３１および第１凝縮器３３ａを介さずに、混合空間４１へと至る。
【００３２】
第１風路の一例である除湿風路４２と第２風路の一例であるバイパス風路４３とは、任意の方法によって形成される。一例として、筐体１０の内部には、仕切部材５０が設けられる。仕切部材５０は、除湿風路４２とバイパス風路４３とを区切る部材である。仕切部材５０は、例えば、平板状である。
【００３３】
本発明の実施の形態１において仕切部材５０は、図１に示すように、蒸発器３１及び第１凝縮器３３ａの上方に設けられる。除湿風路４２は、この仕切部材５０の下方に形成される。バイパス風路４３は、仕切部材５０の上方に形成される。本発明の実施の形態１においてバイパス風路４３は、蒸発器３１および第１凝縮器３３ａの上方に形成される。
【００３４】
本発明の実施の形態１の除湿風路４２及びバイパス風路４３は、本体１０と仕切部材５０とによって形成されている。なお、本体１０と仕切部材５０とは、一体的に形成されてもよい。また、除湿風路４２及びバイパス風路４３は、上述したように、任意の方法によって形成されればよい。本体１０の内部には、仕切部材５０が設けられていなくてもよい。また、除湿風路４２およびバイパス風路４３は、筐体１０および仕切部材５０とは別の部材によって形成されてもよい。
【００３５】
次に、図４および図５を参照して、本発明の実施の形態１の除湿機１００の動作について説明する。図４は本発明の実施の形態１に係る除湿機の圧縮機の運転周波数を制御する制御手段の概略ブロック線図、図５は本発明の実施の形態１に係る除湿機の圧縮機の冬モードの概略フローチャートである。
【００３６】
運転モード切換スイッチ６１で除湿機１００の運転モードを選択し、蒸発器３１への霜の発生を抑制する専用運転モードを選択すると、専用運転モードで運転が開始される（図５  Ｓ１）。
【００３７】
運転が開始されると送風ファン２１が動作し、吸込口１１から吹出口１２へ向かう空気の流れが本体１０の内部に発生する。送風ファン２１によって空気の流れが発生させられることにより、室内の空気Ａ１が吸込口１１から本体１０の内部へ取り込まれる。
【００３８】
送風ファン２１が動作すると、温度センサー６２により運転開始時の室内の温度を測定する。また、湿度センサー６３により運転開始時の室内の湿度を測定する（図５  Ｓ２）。このとき、まだ除湿運転はされていない。
【００３９】
除湿機１００の運転を制御する制御手段６４は、専用運転モードが選択されたことと、温度センサー６２で測定された室内の温度と、湿度センサー６３で測定された室内の湿度が入力回路６４ａに入力されると、周波数テーブル６４ｂにあらかじめ設定されているテーブルでインバーター圧縮機である圧縮機３２の運転周波数を選択し、その運転周波数でインバーター圧縮機である圧縮機３２を動作させるよう、インバーター回路である出力回路６４ｃに出力させる（図５  Ｓ３）。
【００４０】
周波数テーブル６４ｂのあらかじめ設定された室内の温度と室内の湿度と運転周波数の関係は、図６に示すように、室内の温度がＴ１からＴ２未満の範囲において、室内の湿度がｈ１未満のときは、制御手段６４は定格運転周波数であるｆ１Ｈｚで運転を行うように制御する。ここで例えば、Ｔ１は８℃、Ｔ２は１２℃、ｈ１は５５％、ｆ１は７８Ｈｚである。
【００４１】
室内の温度がＴ２以上のときは、制御手段６４は室内の湿度によらず定格運転周波数であるｆ１Ｈｚで運転を行うように制御する。
【００４２】
室内の温度がＴ１からＴ２未満の範囲において、室内の湿度がｈ１からｈ２未満の範囲にあるときは、制御手段６４は定格運転周波数であるｆ１Ｈｚよりも低い運転周波数であるｆ２Ｈｚで運転を行うように制御する。ここで例えば、ｈ２は６５％、ｆ２は６０Ｈｚである。
【００４３】
また、室内の温度がＴ１からＴ２未満の範囲において、室内の湿度がｈ２以上の範囲のときは、制御手段６４は定格運転周波数であるｆ１Ｈｚ、それよりも低いｆ２Ｈｚよりもさらに低い運転周波数であるｆ３Ｈｚで運転を行うように制御する。ここで例えば、ｆ３は４５Ｈｚである。
【００４４】
図３を用い、室内の温度と湿度によりインバーター圧縮機である圧縮機３２の運転周波数を変更することの効果を説明する。図３は、本発明の実施の形態１に係る除湿機のモリエル線図の概略図で、一例として室内の温度１０℃、室内の湿度７０％の環境下において、圧縮機３２の運転周波数を変化させたときのモリエル線図である。
【００４５】
図３に示すように圧縮機３２の運転周波数を定格運転周波数であるｆ１Ｈｚよりも低い運転周波数であるｆ３Ｈｚに設定して運転を行うと、冷媒の循環量が低下することにより冷媒の流速が遅くなる
【００４６】
これにより、減圧装置３４（キャピラリーチューブ）での差圧が小さくなることで、蒸発圧力が上昇し蒸発器３１の温度も水の凍結温度である０℃より高くなることから、蒸発器３１に霜が生じなくなる。蒸発器３１に霜が生じなくなることで、除湿性能の低下を抑えることができ、霜取り運転による除湿運転の中断がないので、使用者の快適性を損なうこと無く除湿運転を継続することができる。
【００４７】
運転モード切換スイッチ６１により他の運転モードを選択（図５  Ｓ４）すると、他の運転モードへ移行（図５  Ｓ５）するが、運転モード切換スイッチ６１により他の運転モードを選択しない限り、専用運転モードで除湿運転を継続する。
【００４８】
除湿運転により本体１０の内部へ取り込まれた空気Ａ１は、除湿風路４２とバイパス風路４３とに分岐する。空気Ａ１の一部は、除湿風路４２へ導かれる。除湿風路４２へ導かれる空気Ａ１の一部は本体内風路通過空気Ｂ１であり、空気Ａ１の他の一部は、蒸発器３１を通過せず迂回してバイパス風路４３へ導かれる。
【００４９】
除湿風路４２へ導かれた空気は、蒸発器３１を通過する。蒸発器３１を通過する本体内風路通過空気Ｂ１と蒸発器３１を流れる冷媒との間で熱交換が行われる。蒸発器３１には、減圧装置３４（キャピラリーチューブ）によって減圧した冷媒が流れる。蒸発器３１には、本体１０の内部へ取り込まれた空気Ａ１よりも低温の冷媒が流れる。蒸発器３１を流れる冷媒は、蒸発器３１を通過する本体内風路通過空気Ｂ１から熱を吸収する。
【００５０】
蒸発器３１を通過する本体内風路通過空気Ｂ１は、蒸発器３１を流れる熱媒体によって吸熱される。蒸発器３１を通過する本体内風路通過空気Ｂ１は、蒸発器３１を流れる冷媒によって冷却される。これにより結露が発生する。すなわち、本体内風路通過空気Ｂ１に含まれる水分が凝縮する。凝縮した水分は、本体内風路通過空気Ｂ１から除去される。本体内風路通過空気Ｂ１から除去された水分は、図１に示す本体１０の内部に設けられた貯水タンク１３に貯められる。
【００５１】
蒸発器３１によって水分が除去された本体内風路通過空気Ｂ１は、第１凝縮器３３ａを通過する。第１凝縮器３３ａを通過する本体内風路通過空気Ｂ１と第１凝縮器３３ａを流れる冷媒との間で熱交換が行われる。第１凝縮器３３ａを流れる冷媒は、第１凝縮器３３ａを通過する本体内風路通過空気Ｂ１によって冷却される。
【００５２】
第１凝縮器３３ａを通過する本体内風路通過空気Ｂ１は、第１凝縮器３３ａを流れる冷媒によって加熱される。第１凝縮器３３ａを通過した本体内風路通過空気Ｂ１は、混合空間４１へと至る。このように、除湿風路４２へ導かれた本体内風路通過空気Ｂ１は、蒸発器３１および第１凝縮器３３ａを通って混合空間４１へと送られる。
【００５３】
また、バイパス風路４３へ導かれた図示しない空気Ａ１の他の一部は、蒸発器３１及び第１凝縮器３３ａを通過することなく混合空間４１へと送られる。混合空間４１には、除湿風路４２を通過した本体内風路通過空気Ｂ１とバイパス風路４３を通過した図示しない空気Ａ１の他の一部と、が送られる。
【００５４】
混合空間４１では、除湿風路４２を通過した本体内風路通過空気Ｂ１とバイパス風路４３を通過した図示しない空気Ａ１の他の一部と、が混合される。これらが混合されることによって、図示しない混合空気が生成される。図示しない混合空気は、第２凝縮器３３ｂを通過する。第２凝縮器３３ｂを通過する図示しない混合空気と第２凝縮器３３ｂを流れる冷媒との間で熱交換が行われる。第２凝縮器３３ｂを流れる冷媒は、第２凝縮器３３ｂを通過する図示しない混合空気によって冷却される。
【００５５】
第２凝縮器３３ｂを通過する図示しない混合空気は、第２凝縮器３３ｂを流れる冷媒によって加熱される。図示しない混合空気が冷媒によって加熱されることにより、乾燥空気Ｂ２が生成される。乾燥空気Ｂ２は、室内の空気Ａ１よりも乾燥した状態の空気である。
【００５６】
乾燥空気Ｂ２は、送風ファン２１を通過する。送風ファン２１を通過した乾燥空気Ｂ２は、吹出口１２から、本体１０の外部へ送り出される。このようにして、除湿機１００は、乾燥空気Ｂ２を除湿機１００の外部へ供給する。
【００５７】
使用者により除湿運転の停止が選択される（図５  Ｓ６）と、運転が終了する（図５  Ｓ７）。
なお、本発明の実施の形態１では、運転モード切換スイッチ６１で除湿機１００の専用運転モードを選択するようにしたが、運転モード切換スイッチ６１を操作することなく、室内の温度があらかじめ設定した温度を下回った場合に、自動的に専用運転モードを開始するようにしてもよい。
【００５８】
以上のように、室内の温度と室内の湿度から、あらかじめ設定されたインバーター圧縮機である圧縮機３２の運転周波数を設定して運転することで霜取り運転による除湿運転の中断をすることなく除湿運転を継続することができるので、使用者の快適性を損なうことが無く、使い勝手の良い除湿機を提供することができる。
【００５９】
なお、本発明の実施の形態１では、圧縮機の運転周波数を変更するために、インバーターで出力を行うインバーター圧縮機を用いたものを例として説明しているが、これに限定されるものではなく、運転周波数を変更できる圧縮機であればよい。
【００６０】
実施の形態２
本発明の実施の形態２に係る除湿機の構成は、本発明の実施の形態１に係る除湿機と一部異なる。本発明の実施の形態２で説明する内容は、本発明の実施の形態１の除湿機に組み込まれる構成であり、ここでは、図７、図８を用い、本発明の実施の形態１の除湿機に追加される内容について説明し、本発明の実施の形態１の除湿機と同じ内容については説明を省略する。
【００６１】
図７は本発明の実施の形態２に係る除湿機の霜取り運転を制御する制御手段の概略ブロック線図、図８は本発明の実施の形態２に係る除湿機の霜取り運転の概略フローチャートである。
【００６２】
本発明の実施の形態１の除湿機のように蒸発器３１に霜が生じないようにインバーター圧縮機である圧縮機３２の運転周波数を設定して運転しても、室内の温度が低くなり、蒸発器３１の温度がＴ３以下になることがあると、蒸発器３１に霜が生じてしまう可能性があり霜取りが必要な状況になる場合もある。
【００６３】
そこで、本発明の実施の形態２に係る除湿機は、図７に示すように制御手段７２に霜取り方法選択部７２ｂが設けられている。霜取り方法選択部７２ｂにより、後述する複数の霜取り方法を選択できるようになっている。
【００６４】
本発明の実施の形態２に係る除湿機は、図７に示すように管温サーミスタ７１が設けられている。管温サーミスタ７１は蒸発器３１の温度を測定するものである。除湿機の運転を開始する（図８  Ｓ１）と、管温サーミスタ７１により蒸発器３１の温度を測定するとともに、温度センサー６２により室内の空気温度を測定する（図８  Ｓ２）。
【００６５】
管温サーミスタ７１により測定された蒸発器３１の温度がＴ４℃（例えば１．２℃）以下となった場合、その温度データが入力回路７２ａに入力されると、そのときからｍ１分、時間が経過した（図８  Ｓ４）後、制御手段７２は霜取り運転を開始する（図８  Ｓ５）。
【００６６】
霜取り運転が開始されてから温度センサー６２により室内の空気温度を測定し、その測定温度がＴ１よりも高い温度データが入力回路７２ａに入力されるか、低い温度データが入力回路７２ａに入力されるかで、制御手段７２は霜取り方法選択部７２ｂにより、霜取り方法を選択する。
【００６７】
温度センサー６２により測定した室内の空気温度がＴ１よりも低い温度データが入力回路７２ａに入力（図８  Ｓ７６）されたときは、ホットガス霜取り運転を開始する（図８  Ｓ７）。本発明の実施の形態１、及び本発明の実施の形態２の除湿機は、圧縮機３２で高温高圧に圧縮された冷媒を、第１凝縮器３３ａと第２凝縮器３３ｂ、減圧装置３４（キャピラリーチューブ）を介することなく蒸発器３１へ流す分岐流路３６と、分岐流路３６を開閉する電磁弁３５を備えている。
【００６８】
電磁弁３５が閉じられている場合、分岐流路３６へは冷媒は流れないが、圧縮機３２を運転している状態で電磁弁３５を開くと圧力の関係で、冷媒は除湿運転時の冷凍サイクルではなく、分岐流路３６と電磁弁３５を介して圧縮機３２と蒸発器３１の間で主に流れるようになる。このとき冷媒の温度は高く気体状になっており、この高温のガス状の冷媒（ホットガス）が圧縮機３２と蒸発器３１の間を主に流れるので蒸発器３１の温度が高くなり、蒸発器３１の霜が除去できるようになる。また、ホットガス霜取り運転を行っているときは送風ファン２１を停止させている。（図８  Ｓ８）
【００６９】
ホットガス霜取り運転は、蒸発器３１の温度がＴ１より低い間は継続され、蒸発器３１の温度がＴ１以上になる（図８  Ｓ９）と、霜取り運転を終了（図８  Ｓ１４）し、除湿運転を再開し、使用者により除湿運転の停止が選択される（図８  Ｓ１５）と、運転が終了する（図８  Ｓ１６）。
【００７０】
温度センサー６２により測定した室内の空気温度がＴ１よりも高い温度データが入力回路７２ａに入力（図８  Ｓ６）されたときは、送風霜取り運転を開始する（図８  Ｓ１０）。送風霜取り運転では送風ファン２１を運転し、圧縮機３１は停止させ、電磁弁３５は閉じて、送風ファン２１を運転することで空気を蒸発器３１に通過させることで霜取りを行う（図８  Ｓ１１）。
【００７１】
送風霜取り運転は、蒸発器３１の温度がＴ５より低い間は継続され、蒸発器３１の温度がＴ５以上になり（図８  Ｓ１２）、そのときからｍ２分、時間が経過した（図８  Ｓ１３）後、霜取り運転を終了（図８  Ｓ１４）し、除湿運転を再開し、使用者により除湿運転の停止が選択される（図８  Ｓ１５）と、運転が終了する（図８  Ｓ１６）。
【００７２】
以上のように、本発明の実施の形態１の除湿機のように蒸発器３１に霜が生じないようにインバーター圧縮機である圧縮機３２の運転周波数を設定して運転しても、室内の温度が低くなり、蒸発器３１の温度がＴ３以下になることがあると、蒸発器３１に霜が生じてしまう可能性があり霜取りが必要な状況になる場合もあるときに、室内の空気温度によって、複数の霜取り方法を選択できるようにしたので、状況に応じた霜取りを行うことができ、使用者に使い勝手のよい除湿機を提供することができる。
【００７３】
なお、本発明の実施の形態２では、圧縮機の運転周波数を変更するために、インバーターで出力を行うインバーター圧縮機を用いたものを例として説明しているが、これに限定されるものではなく、運転周波数を変更できる圧縮機であればよい。
【符号の説明】
【００７４】
Ａ１  室内空気、Ｂ１  本体内風路通過空気、Ｂ２  乾燥空気、１０  本体、１１  吸込口１１、１２  吹出口、１３  貯水タンク、２１  送風ファン、３１  蒸発器、３２  圧縮機（インバーター圧縮機）、３３ａ  第１凝縮器、３３ｂ  第２凝縮器、３４  減圧装置（キャピラリーチューブ）、３５  電磁弁、３６  分岐流路、４１  混合空間、４２  除湿風路（第１風路）、４３  バイパス風路（第２風路）、５０  仕切部材、６１  運転モード切換スイッチ、６２  温度センサー、６３  湿度センサー、６４  制御手段、６４ａ  入力回路、６４ｂ  周波数テーブル、６４ｃ  出力回路（インバーター回路）、７１  管温サーミスタ、７２  制御手段、７２ａ  入力回路、７２ｂ  霜取り方法選択部、７２ｃ  出力回路（インバーター回路）、１００  除湿機。
【図１】
2020085390.tif 000003
【図２】
2020085390.tif 000004
【図３】
2020085390.tif 000005
【図４】
2020085390.tif 000006
【図５】
2020085390.tif 000007
【図６】
2020085390.tif 000008
【図７】
2020085390.tif 000009
【図８】
2020085390.tif 000010